(57)【特許請求の範囲】
【請求項１】
海中から引き上げられた海苔網の支柱の表面に付着する貝類をこすり落とす摺接部材を有する前側の第１の回転体及び後側の第２の回転体と、これらの回転体を回転軸を中心に回転させる動力部とを備え、
前記第１の回転体と前記第２の回転体を間隔をおいて前後に配設するとともに、前記第１の回転体を前記第２の回転体よりも高位置に配設することにより、前記第１の回転体の摺接部材は支柱の上面側に摺接させて回転させるとともに、前記第２の回転体の摺接部材は支柱の下面側に摺接させて回転させるようにしたことを特徴とする海苔網の支柱の貝類落とし装置。
【発明の詳細な説明】
【技術分野】
【０００１】
本発明は、海苔養殖のために海中に張設される海苔網の支柱に付着するフジツボなどの貝類をこすり落とす海苔網の支柱の貝類落とし装置に関するものである。
【背景技術】
【０００２】
海苔を養殖する海苔網は、海中に立設された支柱に張設される。海苔養殖は一般に９月乃至翌年３月である。したがって支柱は、９月初旬頃に海中に立設され、オフシーズンの４月頃海中から引き上げられて陸上に保管される。
【発明の開示】
【発明が解決しようとする課題】
【０００３】
海中から引き上げられた支柱の下端部（海面下に没入していた部分）には貝類、特にフジツボが大量にこびり付くように強く付着している。このような貝類を支柱からこすり落とす装置として、左右一対の回転体にチェーンを交差させて取着し、交差するチェーンの谷部に支柱に付着する貝類を当てがって、これをこすり落とす装置が提案されている（特許文献１）。
【特許文献１】特開２００８−８６２５３号公報
【０００４】
しかしながらこの引用文献１のものは、海中から引き抜いた支柱を船上の作業者が手に保持し、回転中のチェーンの谷部に支柱の先端部に付着する貝類を当てがってこすり落とすようにしていたため、こすり落とし時には支柱は特に上下方向へ激しくがたつき、支柱を手に保持する作業者の手がしびれるなどして作業者の負荷が大きく、多数本の支柱の処理をすれば作業者は大変疲れるという問題点があった。
【０００５】
そこで本発明は、より楽な軽作業でより確実に貝類を除去することができる海苔網の支柱の貝類の落とし装置を提供することを目的とする。
【課題を解決するための手段】
【０００６】
請求項１記載の本発明の海苔網の支柱の貝類落とし装置は、海中から引き上げられた海苔網の支柱の表面に付着する貝類をこすり落とす摺接部材を有する前側の第１の回転体及び後側の第２の回転体と、これらの回転体を回転軸を中心に回転させる動力部とを備え、前記第１の回転体と前記第２の回転体を間隔をおいて前後に配設するとともに、前記第１の回転体を前記第２の回転体よりも高位置に配設することにより、前記第１の回転体の摺接部材は支柱の上面側に摺接させて回転させるとともに、前記第２の回転体の摺接部材は支柱の下面側に摺接させて回転させるようにした。
【発明の効果】
【００１０】
本発明によれば、支柱はその上面と下面がそれぞれ第１と第２の回転体の摺接部材に摺接し、その状態で両回転体は回転する。そこで作業者は支柱を押し引きしたり、支柱をその軸心を中心に若干回転させるなどして支柱の長手方向へ動かして両回転体の間を通過させれば、支柱の先端部に付着する貝類はまず前側の回転体の摺接部材により荒落としされ、続いて後側の回転体の摺接部材により仕上げ落としされる。この場合、望ましくは前側の摺接部材はチェーンのような擦過力の強い摺接部材とし、後側の摺接部材は円弧状鋼棒などの擦過力は小さいが支柱（一般にＦＲＰのような合成樹脂製）の表面を傷つけにくい摺接部材にすれば、支柱表面に強く付着する貝類を支柱を傷めずにより確実に、またよりきれいにこすり落とすことができる。
【００１１】
また、第１の回転体を第２の回転体よりも高位置に配設しているので、両回転体の間に支柱を容易に差し込んで、支柱を作業しやすい姿勢にして貝類の落とし作業を行うことができる。
【発明を実施するための最良の形態】
【００１２】
図１は海苔網の支柱の貝類落とし装置の斜視図、図２は同平面図、図３は同第２の回転体の正面図、図４は貝類落とし作業中の船の平面図、図５は船上の作業者が貝類落とし作業をしている様子を示す側面図である。まず、図１〜図３を参照して貝類落とし装置を説明する。
【００１３】
図１及び図２において、貝類落とし装置１の台部２上の一側部には第２の動力部３を設置されている。本実施の形態では、台部２は船のヘリ部上などの船上に設置される。第２の動力部３の水平な回転軸４には、第２の回転体２０が装着されている。台部２の他側部には支軸部５が設置されており、回転軸４の他端部は支軸部５に軸支されている。
【００１４】
次に、図３を参照して第２の回転体２０を説明する。第２の回転体２０は、左右一対の回転子２１、２２の間に、鋼棒などの棒体を円弧状にわん曲させた第２の摺接部材２３を円周方向にピッチをおいて複数個（例えば円周方向に９０°のピッチをおいて合計４個）固着して構成されている。回転子２１、２２としては、円板やリングなどが適用できる。すなわち、第２の回転体２０は、上述した特開２００８−８６２５３号公報に記載されたチェーンに替えて、上記のような摺接部材２３を設けたものである。この第２の摺接部材２３はチェーンよりも擦過力（貝類のこすり落とし力）は小さいが、チェーンよりも支柱８（図２、図４を参照）の表面を傷つけにくいので、貝類の仕上げ落とし用の摺接部材に適している。
【００１５】
図１及び図２において、支軸部５の外面には長板状のフレーム１５の一端部が固着具１６により取り付けられている。フレーム１５はやや右上りに傾斜して取り付けられている。フレーム１５の先端部には、第２の回転体２０と支柱８の長手方向に間隔Ｗをおいて第１の回転体１０が取り付けられている。本実施の形態ではフレーム１５はやや右上りに傾斜して取り付けられており、これにより前側の第１の回転体１０は後側の第２の回転体２０よりも高位置（高低差Ｈ）に配設されている（図５も参照）。このように前後（支柱８の先端部側とその反対側）に配設された両回転体に高低差Ｈを付与することにより、前側の第１の回転体１０は支柱８の上面側に摺接して回転し、後側の第２の回転体２０は支柱８の下面側に摺接して回転する。また高低差があるので、両回転体１０、２０の間に支柱８を容易に差し込んで、支柱８を作業しやすい姿勢にして貝類の落とし作業を行うことができる。なお本発明では、支柱８の先端部側（貝類Ｋが付着している側）を前側といい、その反対側を後側という。したがって、両回転体１０、２０は、支柱８の長手方向の前後に配設されている。なお、両回転体１０、２０は、それぞれ独立した別個の台部に設けてもよい。
【００１６】
第１の回転体１０は、上述した特開２００８−８６２５３号公報に記載された貝類落とし手段と同様のものであって、図１に示すように左右一対の回転子１１、１２に第１の摺接部材としての第１のチェーン１３と第２のチェーン１４を交差させて形成されており、両チェーン１３、１４が交差する谷部Ｖに支柱８に付着する貝類を当てがって貝類をこすり落とすようになっている。第１の摺接部材（チェーン１３、１４）の擦過力は、第２の摺接部材２３のそれよりも大きい。
【００１７】
図１及び図２において、フレーム１５の第１の回転体１０と反対面には第１の動力部１７が取り付けられており、第１の回転体１０はその回転軸１８に装着されている。なお回転体１０、２０に設けられる摺接部材は本実施の形態のものに限定されないのであって、貝類を効果的にこすり落とすことができる摺接部材であればよいものである。しかして、本実施の形態のように、前側の荒落とし用の摺接部材としてはチェーンのような擦過力が大きいものが望ましく、後側の摺接部材としては円弧状の鋼棒のような擦過力は劣っても支柱の表面を傷つけにくいものが望ましい。
【００１８】
図２において、第１の動力部１７と第２の動力部３は、それぞれコード３１、３２により操作部３０に接続されている。操作部３０は操作レバー３０ａを有しており、作業者は操作レバー３０ａを手動操作して両動力部３、１７のＯＮ、ＯＦＦ、回転方向、回転速度等を切り替え・制御する。動力部３、１７としては油圧モータが望ましく、その場合、操作部３０は切替弁を含んでいる。油圧モータや操作部３０は市販・公知のものであるから、その詳細な説明は省略する。なお油圧モータは、電動モータよりも速度調整が容易、回転力（トルク）が大きい、小型コンパクトである等の長所を有する。
【００１９】
本実施の形態では、上述のように第１の回転体１０と第２の回転体２０は、互いに独立した別個の動力部（第１の動力部１７と第２の動力部３）で駆動するようにしている。これは第１の回転体１０と第２の回転体２０を互いに別個に自由に切り替え・制御するためであり、このようにすれば運転の自由度が大きく、支柱や作業者に適した運転ができる利点がある。しかしながら動力部は１個のみ（例えば第２の動力部３のみ）とし、他方の回転体（本実施の形態の場合は第１の回転体１０）へは伝動チェーン等により動力を伝達して駆動するようにしてもよい。但しこのようにすれば、運転の自由度は低下する。
【００２０】
本貝類落とし装置１は上記のような構成より成り、次に図４及び図５を参照してその使用方法を説明する。図４において、貝類落とし装置１は、船６のヘリ部６ａ上に台部２を装着して設置されている。図示するように船上に設置した状態で、第１の回転体１０と第２の回転体２０は船外の海洋上に位置している。船６上の一側部には貝類落とし処理が終了した支柱８’が多数本並べて置かれている。
【００２１】
船上の作業者Ａは、海中に立設された支柱８を引き抜き装置（不図示）等により引き抜いて船上に引き上げるが、支柱８の先端部（海中に没入していた部分）には貝類、特にフジツボＫが大量に付着している（海底に差し込まれていた最先端部には付着しない）。そこで作業者Ａは、引き上げた支柱８を両回転部１０、２０の間に差し込む。この場合、海洋から引き上げた支柱８を例えば一旦第２の動力部３上に載せたうえで、この上をスライドさせて支柱８を両回転体１０、２０の間に差し込めば、差し込み作業をしやすい。差し込み状態において、支柱８の一方の面である下面は第２の回転体２０の摺接部材２３上に載り、他方の面である上面は第１の回転体１０の摺接部材（チェーン１３、１４）の谷部に当接する。
【００２２】
そこで作業者Ａは、操作部３０の操作レバー３０ａを操作して、両回転体１０、２０を支柱８を引き上げる方向（「順方向」という。図５の矢印ａ、ｂ方向）に回転させる。そして支柱８をその軸心を中心に若干手回しして回転させながら（図５の矢印イ）、両回転体１０、２０の間を通過させて船上へ引き上げることにより（矢印Ｎ参照）、第１の回転体１０の外方に位置する貝類Ｋをまず第１の摺接子１３、１４に当接させて貝類Ｋを荒落としする。続いて、支柱８の表面になおも残存付着する貝類Ｋを、第２の摺接部材２３により仕上げ落としする。この場合、作業者Ａは支柱８をその長手方向に押し引きしながら（図５の矢印ロ）ゆっくり矢印Ｎ方向へ引き上げることが望ましい。そして貝類落としが終了した支柱８は、図４に示すように船上の一側部に並べて回収される。
【００２３】
回転体１０、２０の回転方向は任意に切り替えることができる。しかして、支柱８を船上へ引き上げる方向（上記矢印ａ、ｂ方向）へ回転させれば、支柱８を船上へ引き上げやすいが、これは順方向であるから、貝類Ｋのこすり落とし力は小さい。一方、支柱８をその先端方向（上記矢印ａ、ｂ方向）と反対方向であって、引き上げ方向と反対方向へ回転させれば、船上への引き上げには強い力を要するが、これは逆方向であるから、貝類Ｋのこすり落とし力は大きい。したがって、船上の各人は、各人に好みの適した方向へ回転体１０、２０を回転させて貝類落とし作業を行えばよい。
【００２４】
例えば、本実施の形態のように矢印ａ、ｂ方向、すなわち支柱８を船上に引き上げる方向（順方向）へ回転させれば、作業をより軽作業で行うことができる。また図５において、作業者は手持ち部を支柱８を第２の回転体２０を支点にして押し下げることにより（矢印Ａ）、支柱８の先端部を上方へ押し上げて（矢印Ｂ）第１の回転体１０の摺接部材１３、１４に強く押し付けるようにすれば、貝類Ｋをチェーン１３、１４により確実にこすり落とすことができる。因みに、強化プラスチック製の支柱の長さは、一般に１０ｍ程度、重さは１０〜１５ｋｇ程度であり、きわめて長尺で重いものである。
【００２５】
なお本貝類落とし装置は船上で使用するものであるが、陸上で使用してもよいものである。この場合、洋上で貝類Ｋが付着した支柱８を船上に回収し、港等に帰船した後、陸上げして陸上の適所に設置した貝類落とし装置により貝類Ｋの落とし作業を船上での場合と同様に行う。但し、このようにすれば、こすり落とされて散乱した貝類の後処理が必要となる。
【産業上の利用可能性】
【００２６】
本発明によれば、支柱はその上面と下面がそれぞれ第１と第２の回転体の摺接部材に摺接し、その状態で両回転体は回転する。そこで作業者は支柱を押し引きしたり、支柱をその軸心を中心に若干回転させるなどして支柱の長手方向へ動かして両回転体の間を通過させれば、支柱の先端部に付着する貝類はまず前側の回転体の摺接部材により荒落としされ、続いて後側の回転体の摺接部材により仕上げ落としされる。この場合、望ましくは前側の摺接部材はチェーンのような擦過力の強い摺接部材とし、後側の摺接部材は円弧状鋼棒などの擦過力は小さいが支柱（一般にＦＲＰのような合成樹脂製）の表面を傷つけにくい摺接部材にすれば、支柱表面に強く付着する貝類を支柱を傷めずにより確実に、またよりきれいにこすり落とすことができる。
【００２７】
また、第１の回転体を第２の回転体よりも高位置に配設しているので、両回転体の間に支柱を容易に差し込んで、支柱を作業しやすい姿勢にして貝類の落とし作業を行うことができる。
【図面の簡単な説明】
【００２８】
【図１】海苔網の支柱の貝類落とし装置の斜視図
【図２】海苔網の支柱の貝類落とし装置の平面図
【図３】海苔網の支柱の貝類落とし装置の第２の回転体の正面図
【図４】貝類落とし作業中の船の平面図
【図５】船上の作業者が貝類落とし作業をしている様子を示す側面図
【符号の説明】
【００２９】
１  貝類落とし装置
２  台部
３  第２の動力部
４、１８  回転軸
６  船
８  支柱
１０  第１の回転体
１３、１４  第１の摺接部材（チェーン）
１７  第１の動力部
２０  第２の回転体
２３  第２の摺接部材（円弧状の鋼棒）
Ｋ  貝類
【図１】
0004796094.tif 000002
【図２】
0004796094.tif 000003
【図３】
0004796094.tif 000004
【図４】
0004796094.tif 000005
【図５】
0004796094.tif 000006